(57)【要約】【課題】長期に亘って高画質の画像を投写するプロジェクターを提供する。【解決手段】プロジェクターは、光源と、光源から射出された光を画像情報に応じて変調する液晶パネル５２と、液晶パネル５２を保持する保持部６と、液晶パネル５２に対向して配置され、入射する光を光学的に変換する補償素子５３と、補償素子５３を保持する素子保持体８と、液晶パネル５２と補償素子５３との間に流通する空気の風量を調整する風向調整部９と、を備え、素子保持体８は、液晶パネル５２の光軸５２Ｇｊに対する補償素子５３の傾きを調整可能に保持部６に支持され、風向調整部９は、一端が素子保持体８に回動可能に支持され、補償素子５３に向かう空気の流れを変える風向変更部９１を備える。【選択図】図７
2017187624.tif 000002
【特許請求の範囲】
【請求項１】
光源と、
前記光源から射出された光を画像情報に応じて変調する光変調装置と、
前記光変調装置を保持する保持部と、
前記光変調装置に対向して配置され、入射する光を光学的に変換する光学素子と、
前記光学素子を保持する素子保持体と、
前記光変調装置と前記光学素子との間に流通する空気の風量を調整する風向調整部と、
を備え、
前記素子保持体は、前記光変調装置の光軸に対する前記光学素子の傾きを調整可能に前記保持部に支持され、
前記風向調整部は、一端が前記素子保持体に回動可能に支持され、前記光学素子に向かう空気の流れを変える風向変更部を備えることを特徴とするプロジェクター。
【請求項２】
請求項１に記載のプロジェクターであって、
前記風向変更部は、前記一端に前記素子保持体に回動可能に支持される軸支部を有し、
前記風向調整部は、前記風向変更部の前記軸支部とは離れた位置に接続された移動部を備え、
前記移動部は、前記軸支部の回転中心軸に交差する方向に移動可能であることを特徴とするプロジェクター。
【請求項３】
請求項２に記載のプロジェクターであって、
前記素子保持体は、前記光学素子が取り付けられる取付部、および前記取付部から前記光軸に交差する方向に延出し、前記傾きを調整するために操作される第１操作部を有し、
前記移動部は、前記風向変更部に接続され、前記光軸に交差する方向に延出する延出部、および前記延出部の前記風向変更部に接続された部位とは反対側となる端部側に設けられ、移動のために操作される第２操作部を有し、
前記第１操作部および前記第２操作部は、前記光学素子に対し、同じ側に配置されていることを特徴とするプロジェクター。
【請求項４】
請求項１〜請求項３のいずれか一項に記載のプロジェクターであって、
前記風向調整部は、前記風向変更部が所定の姿勢で配置される所定の状態を有し、
前記風向変更部は、前記一端とは反対側となる他端と前記光変調装置との離間距離が前記所定の状態における前記離間距離より大きくなる回動が可能であることを特徴とするプロジェクター。
【請求項５】
請求項４に記載のプロジェクターであって、
前記風向変更部は、前記離間距離が前記所定の状態における前記離間距離より小さくなる回動が可能であることを特徴とするプロジェクター。
【請求項６】
請求項１〜請求項５のいずれか一項に記載のプロジェクターであって、
前記光変調装置は、液晶パネルであり、
前記光学素子は、前記液晶パネルの光射出側に配置され、前記液晶パネルから射出された光の位相差を補償する補償素子であり、
前記傾きの調整は、前記補償素子の対角方向に延出する対角軸を中心とする回転方向の調整により行われることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等の投写面に投写するプロジェクターが知られている。このプロジェクターには、液晶パネル等の光変調装置や、光変調装置の前後に配置される入射側偏光板や射出側偏光板等の光学部品が備えられている。
ところで、近年、投写される画像のコントラスト特性等を向上させるために、光変調装置の光入射側や光射出側に補償素子等の光学素子を配置した構成が用いられるようになってきている。この構成においては、光変調装置に対して光学素子が正しい位置に配置されていないと、所望の特性を得ることができないため、光変調装置に対して光学素子の位置を調整可能とする技術が提案されている（例えば、特許文献１参照）。
また、近年、より明るい画像の投写が可能なプロジェクターが望まれており、光源からの光で発熱する光変調装置を効率的に冷却する技術が提案されている（例えば、特許文献２参照）。
【０００３】
特許文献１に記載のプロジェクターは、光変調装置と、光変調装置を介した光の位相差を補償する光学補償素子と、光学補償素子が取り付けられ、光学補償素子の位置を調整する調整部材と、調整部材を支持する支持部材とを備える。調整部材は、互いに離間する方向に突出する一対の腕部を有する。そして、調整部材は、一対の腕部の先端が支持部材に係合し、回転可能に支持部材に支持されるように構成されている。そして、光学補償素子は、支持部材に対して調整部材が回転されることで姿勢（位置）が調整される。
特許文献２には、３枚の液晶パネルの透過光を合成するための合成プリズムを有する液晶プロジェクターに用いられる液晶パネル冷却装置が記載されている。
この液晶パネル冷却装置は、液晶パネル（光変調装置）の光の出射側表示面および合成プリズムの光入射面との間を、ファンの回転により生じる風を通し、合成プリズムの光の入射面側に、液晶パネル出射側表示面方向に風向きを変えるための風向板を備えている。
【先行技術文献】
【特許文献】
【０００４】
【特許文献１】特開２０１２−１８９７７６号公報
【特許文献２】特開平１１−２９５８１４号公報
【発明の概要】
【発明が解決しようとする課題】
【０００５】
特許文献１には光変調装置の冷却方法については記載されていないが、特許文献２に記載の技術を用いて光変調装置を冷却する構成が考えられる。しかしながら、この技術では、光変調装置を充分冷却できない場合がある。すなわち、特許文献１に記載の技術は、光学補償素子の姿勢によっては、光変調装置と光学補償素子との隙間が狭くなる場合があるため、特許文献２に記載の風向板を備える構成であっても、光変調装置と光学補償素子との間に流通する冷却空気の風量が不十分で、光変調装置が許容の温度を超える恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を画像情報に応じて変調する光変調装置と、前記光変調装置を保持する保持部と、前記光変調装置に対向して配置され、入射する光を光学的に変換する光学素子と、前記光学素子を保持する素子保持体と、前記光変調装置と前記光学素子との間に流通する空気の風量を調整する風向調整部と、を備え、前記素子保持体は、前記光変調装置の光軸に対する前記光学素子の傾きを調整可能に前記保持部に支持され、前記風向調整部は、一端が前記素子保持体に回動可能に支持され、前記光学素子に向かう空気の流れを変える風向変更部を備えることを特徴とする。
【０００８】
この構成によれば、プロジェクターは、光変調装置に対向して配置された光学素子の傾きを調整できるので、画質を高めた画像の投写が可能となる。また、プロジェクターは、上述した風向調整部を備えているので、ファンから送風され、光学素子に向かう空気の流れを変え、光変調装置と光学素子との間に流通する空気の風量を調整することができる。よって、光学素子の傾き調整に伴って変わる光変調装置と光学素子との離間距離に対応して双方の部材間に空気を流通させ、光変調装置および光学素子を適切に冷却することが可能となる。
したがって、長期に亘って高画質の画像を投写するプロジェクターの提供が可能となる。
【０００９】
［適用例２］上記適用例に係るプロジェクターにおいて、前記風向変更部は、前記一端に前記素子保持体に回動可能に支持される軸支部を有し、前記風向調整部は、前記風向変更部の前記軸支部とは離れた位置に接続された移動部を備え、前記移動部は、前記軸支部の回転中心軸に交差する方向に移動可能であることが好ましい。
【００１０】
この構成によれば、移動部を移動させることで風向変更部を回動させることができる。よって、光変調装置と光学素子との間に流通させる空気の風量を容易に調整することが可能となる。
【００１１】
［適用例３］上記適用例に係るプロジェクターにおいて、前記素子保持体は、前記光学素子が取り付けられる取付部、および前記取付部から前記光軸に交差する方向に延出し、前記傾きを調整するために操作される第１操作部を有し、前記移動部は、前記風向変更部に接続され、前記光軸に交差する方向に延出する延出部、および前記延出部の前記風向変更部に接続された部位とは反対側となる端部側に設けられ、移動のために操作される第２操作部を有し、前記第１操作部および前記第２操作部は、前記光学素子に対し、同じ側に配置されていることが好ましい。
【００１２】
この構成によれば、第１操作部および第２操作部が光学素子に対して同じ側に配置されている。これによって、作業者は、光学素子の傾き調整、および風向調整部による空気の風量調整を、光学素子の同一側から行うことができるので、２つの調整作業を効率的に行うことが可能となる。
また、光学素子に対して第１操作部および第２操作部が配置されていない側に部材を配置できるので、光学素子の傾き調整を可能に素子保持体が保持部に支持される構造等をスペース効率よく構成することが可能となる。
【００１３】
［適用例４］上記適用例に係るプロジェクターにおいて、前記風向調整部は、前記風向変更部が所定の姿勢で配置される所定の状態を有し、前記風向変更部は、前記一端とは反対側となる他端と前記光変調装置との離間距離が前記所定の状態における前記離間距離より大きくなる回動が可能であることが好ましい。
【００１４】
この構成によれば、光学素子の傾き調整によって光変調装置と光学素子との距離が小さくなる場合に、風向変更部の他端と光変調装置との離間距離が大きくなるように風向変更部を回動させることができる。これによって、光変調装置と光学素子との間に適切に空気を流通させ、光変調装置および光学素子を効率よく冷却することができる。
【００１５】
［適用例５］上記適用例に係るプロジェクターにおいて、前記風向変更部は、前記離間距離が前記所定の状態における前記離間距離より小さくなる回動が可能であることが好ましい。
【００１６】
この構成によれば、光学素子の傾き調整によって光変調装置と光学素子との距離が大きくなる場合に、風向変更部の他端と光変調装置との離間距離が小さくなるように風向変更部を回動させることができる。これによって、光変調装置と光学素子との間に流通させる空気の風量を制限することができるので、光変調装置の過冷却を抑制することが可能となる。
【００１７】
［適用例６］上記適用例に係るプロジェクターにおいて、前記光変調装置は、液晶パネルであり、前記光学素子は、前記液晶パネルの光射出側に配置され、前記液晶パネルから射出された光の位相差を補償する補償素子であり、前記傾きの調整は、前記補償素子の対角方向に延出する対角軸を中心とする回転方向の調整により行われることが好ましい。
【００１８】
この構成によれば、液晶パネルのプレチルト角（ラビング方向）に対応させて、補償素子の傾きを調整できるので、投写される画像のコントラスト比や視野角特性を向上させることができる。よって、長期に亘って高画質の画像を投写するプロジェクターの提供が可能となる。
【図面の簡単な説明】
【００１９】
【図１】本実施形態のプロジェクターの概略構成を示す模式図。
【図２】本実施形態のヘッド体および光学装置を示す斜視図。
【図３】本実施形態のクロスダイクロイックプリズムおよび電気光学装置の分解斜視図。
【図４】本実施形態の電気光学装置の分解斜視図。
【図５】本実施形態の電気光学装置における固定板および素子保持体をクロスダイクロイックプリズム側から見た斜視図。
【図６】本実施形態の素子保持体および風向調整部を模式的に示す平面図。
【図７】本実施形態の電気光学装置の断面図。
【図８】本実施形態の電気光学装置を＋Ｚ側から見た平面図。
【図９】本実施形態の電気光学装置を＋Ｚ側から見た平面図。
【図１０】本実施形態の風向調整部の動作を説明するための模式図。
【図１１】本実施形態の風向調整部の動作を説明するための模式図。
【図１２】本実施形態の風向調整部の動作を説明するための模式図。
【発明を実施するための形態】
【００２０】
以下、本実施形態に係るプロジェクターについて、図面を参照して説明する。
本実施形態のプロジェクターは、光源から射出された光を画像情報に応じて変調してスクリーン等の投写面に拡大投写する。
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および冷却装置４を備える。なお、図示は省略するが、外装筐体２の内部には、さらに、光源装置３１や制御部に電力を供給する電源装置等が配置されている。
【００２１】
外装筐体２は、詳細な説明は省略するが、複数の部材で構成されている。そして、外装筐体２には、外気を取り込むための吸気口、および外装筐体２内部の温まった空気を外部に排気する排気口等が設けられている。
【００２２】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２３】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置５、投写レンズ３５、およびこれらの部材を光路上の所定位置に配置する光学部品用筐体３６やヘッド体３７を備える。
【００２４】
光源装置３１は、超高圧水銀ランプやメタルハライドランプ等からなる放電型の光源３１１およびリフレクター３１２等を備え、光源３１１から射出された光をリフレクター３１２にて反射し、インテグレーター照明光学系３２に向けて射出する。
【００２５】
インテグレーター照明光学系３２は、第１レンズアレイ３２１、第２レンズアレイ３２２、偏光変換素子３２３、および重畳レンズ３２４を備える。第１レンズアレイ３２１は、小レンズがマトリックス状に配列された構成を有しており、光源装置３１から射出された光を複数の部分光に分割する。第２レンズアレイ３２２は、第１レンズアレイ３２１と略同様の構成を有しており、重畳レンズ３２４とともに、部分光を後述する液晶パネル５２の表面に略重畳させる。偏光変換素子３２３は、第２レンズアレイ３２２から射出されたランダム光を液晶パネル５２で利用可能な略１種類の偏光光に揃える機能を有している。
【００２６】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する。
【００２７】
リレー光学系３４は、入射側レンズ３４１、リレーレンズ３４３、および反射ミラー３４２，３４４を備え、色分離光学系３３で分離されたＲ光をＲ光用の液晶パネル５２まで導く機能を有する。なお、光学ユニット３は、リレー光学系３４がＲ光を導く構成としているが、これに限らず、例えば、Ｂ光を導く構成としてもよい。
【００２８】
光学装置５は、各色光用に設けられた電気光学装置５０（Ｒ光用の電気光学装置を５０Ｒ、Ｇ光用の電気光学装置を５０Ｇ、Ｂ光用の電気光学装置を５０Ｂとする）、および色合成光学装置としてのクロスダイクロイックプリズム５５を備える。
図２は、ヘッド体３７および光学装置５を示す斜視図である。図３は、クロスダイクロイックプリズム５５および電気光学装置５０Ｇの分解斜視図である。
各電気光学装置５０は、図１、図３に示すように、入射側偏光板５１、光変調装置としての液晶パネル５２、補償素子５３、射出側偏光板５４、保持部６、支持部７、素子保持体８、および風向調整部９を備える。
【００２９】
入射側偏光板５１は、色分離光学系３３で分離された色光のうち、偏光変換素子３２３で揃えられた偏光光を透過し、その偏光光と異なる偏光光を吸収して液晶パネル５２に射出する。入射側偏光板５１は、ガラス板に貼り付けられて光学部品用筐体３６に配置される。
【００３０】
液晶パネル５２は、一対の透明なガラス基板に電気光学物質である液晶が密閉封入された構成を有し、図示しない微小画素がマトリックス状に形成された矩形状の画素領域が形成されている。そして、液晶パネル５２の端部には、フレキシブルプリント基板５２Ｆ（図３参照）が接続されている。
【００３１】
液晶パネル５２は、フレキシブルプリント基板５２Ｆを介して制御部から入力された駆動信号に応じて液晶の配向状態が制御され、画素領域内に表示画像を形成する。そして、液晶パネル５２は、入射側偏光板５１から射出された色光を画像情報に応じて変調する。
液晶パネル５２は、保持部６に保持される。
【００３２】
補償素子５３は、液晶パネル５２の光射出側に配置される。補償素子５３は、液晶パネル５２に対向して配置され、入射する光を光学的に変換する光学素子に相当する。補償素子５３は、液晶パネル５２から射出された光の位相差を補償（液晶パネル５２にて正確に変調できなかった位相変調量を微調整）し、投写される画像のコントラスト比や視野角特性の向上に寄与する。補償素子５３は、素子保持体８に保持され、液晶パネル５２の光軸に対して傾いて配置されている。また、後で詳細に説明するが、補償素子５３は、液晶パネル５２の光軸に対する傾きが調整可能に構成されている。
【００３３】
射出側偏光板５４は、補償素子５３から射出された光のうち一定方向の偏光光を透過し、その偏光光と異なる偏光光を吸収してクロスダイクロイックプリズム５５に射出する。射出側偏光板５４は、平面視矩形状に形成され、ガラス板を介してクロスダイクロイックプリズム５５に接着固定される。
【００３４】
支持部７は、クロスダイクロイックプリズム５５に固定された射出側偏光板５４に接着固定され、液晶パネル５２が保持された保持部６を支持する。
風向調整部９は、図３に示すように、素子保持体８に支持される風向変更部９１を備え、冷却装置４の後述するファン４１１から送風され、液晶パネル５２と補償素子５３との間に流通する空気の風量を調整する。なお、図３に示す風向調整部９は、風向変更部９１を模式的に示したものである。保持部６、支持部７、素子保持体８および風向調整部９については、後で詳細に説明する。
【００３５】
クロスダイクロイックプリズム５５は、４つの直角プリズムを貼り合わせた平面視略正方形状をなし、３つの光入射側端面、１つの光射出側端面を有している。各光入射側端面には、各色光用の電気光学装置５０が対向して配置される。ここで、図１に示すように、Ｒ光用の液晶パネル５２の光軸を５２Ｒｊ、Ｇ光用の液晶パネル５２の光軸を５２Ｇｊ、およびＢ光用の液晶パネル５２の光軸を５２Ｂｊとする。
【００３６】
そして、クロスダイクロイックプリズム５５は、直角プリズム同士を貼り合わせた界面に誘電体多層膜が形成され、各色光用の電気光学装置５０から射出された各色光を合成する。具体的に、クロスダイクロイックプリズム５５は、電気光学装置５０Ｒ，５０Ｂにて変調された色光を反射し、電気光学装置５０Ｇにて変調された色光を透過して、各色光を合成する。
【００３７】
投写レンズ３５は、複数のレンズ（図示省略）を有し、クロスダイクロイックプリズム５５にて合成された光をスクリーン上に拡大投写する。
【００３８】
ヘッド体３７は、図３に示すように、プリズム支持体３７１およびヘッド本体３７２を備える。
プリズム支持体３７１は、クロスダイクロイックプリズム５５の上面に接着固定され、クロスダイクロイックプリズム５５を支持する。
ヘッド本体３７２は、プリズム支持体３７１および投写レンズ３５が固定され、光学部品用筐体３６に取り付けられる。
【００３９】
冷却装置４は、詳細な説明は省略するが、吸気装置４１、排気装置、および光源装置３１等に冷却空気を送風する送風ファン等を備える。吸気装置４１は、図１に示すように、ファン４１１やダクト部材４１２等を備え、外装筐体２の吸気口から外部の空気を取り込み、取り込んだ空気を光学装置５に送風する。排気装置は、排気ファンやダクト部材等を備え、外装筐体２内部の温まった空気を排気口から排出させる。
【００４０】
〔保持部、支持部、素子保持体、および風向調整部の構成〕
ここで保持部６、支持部７、素子保持体８および風向調整部９の具体的な構成について説明する。ここでは、Ｇ光用の保持部６、支持部７、素子保持体８および風向調整部９に注目して説明する。なお、以下では、説明の便宜上、図３に示すように、光軸５２Ｇｊに沿う方向をＹ方向、Ｙ方向に直交する上下方向をＺ方向、Ｙ方向およびＺ方向に直交する方向をＸ方向（左右方向）とする。また、Ｙ方向において、クロスダイクロイックプリズム５５に向かう側を＋Ｙ側、図３の図面視において、Ｚ方向における上側を＋Ｚ側、Ｘ方向における右側を＋Ｘ側として記載する。
【００４１】
先ず、保持部６について説明する。
保持部６は、図３に示すように、液晶パネル５２を収納するフレーム６１、およびフレーム６１が固定される固定板６２を備える。
フレーム６１は、金属製であり、液晶パネル５２を収納する枠部６１１、および放熱部６１２を有している。また、図示は省略するが、フレーム６１には、液晶パネル５２の温度を検出する温度センサーＴＥ（図示せず）が配置されている。温度センサーＴＥは、制御部に接続されている。制御部は、温度センサーＴＥからの検出結果に基づいて、各種ファンの駆動等の制御を行う。
【００４２】
枠部６１１は、図３に示すように、平面視矩形状に形成され、中央部には、入射側偏光板５１（図１参照）を透過した色光が入射する開口部６１１１が形成されている。そして、枠部６１１には、開口部６１１１の周囲に、Ｙ方向に貫通する複数の貫通孔６１ｈが設けられている。
放熱部６１２は、枠部６１１の上端から突出して平面視矩形状に形成されている。フレキシブルプリント基板５２Ｆの基端側は、この放熱部６１２に沿うように配置される。
【００４３】
固定板６２は、フレーム６１のクロスダイクロイックプリズム５５側に配置され、液晶パネル５２が収納されたフレーム６１が固定される。
図４は、クロスダイクロイックプリズム５５側から見た電気光学装置５０Ｇの分解斜視図であり、保持部６および素子保持体８を示す図である。
固定板６２は、板金からプレス加工等により形成されており、図４に示すように、平面視矩形状に形成されたベース部６２１、ベース部６２１の左右両側から屈曲された一対の第１屈曲部６２２Ｌ，６２２Ｒ、およびベース部６２１の上側から屈曲された一対の第２屈曲部６２３を有している。
【００４４】
ベース部６２１には、液晶パネル５２を透過した色光が通過する矩形状の開口部６２１ａが設けられ、開口部６２１ａの周囲には、貫通孔６１ｈに対応するネジ穴６２１ｂ（図３参照）が形成されている。また、ベース部６２１の四隅には、挿通孔６２１ｃが形成されている。液晶パネル５２が収納されたフレーム６１は、貫通孔６１ｈから挿通されたネジがネジ穴６２１ｂに挿通されてベース部６２１に固定される。
【００４５】
第１屈曲部６２２Ｌは、ベース部６２１の左側（−Ｘ側）に設けられ、第１屈曲部６２２Ｒは、ベース部６２１の右側（＋Ｘ側）に設けられている。一対の第１屈曲部６２２Ｌ，６２２Ｒは、ベース部６２１からクロスダイクロイックプリズム５５側に略９０°屈曲されており、互いが左右対称となるように形成されており、素子保持体８を回転可能に支持する機能を有している。また、一対の第１屈曲部６２２Ｌ，６２２Ｒは、ベース部６２１の剛性を高める機能も有している。
【００４６】
そして、各第１屈曲部６２２Ｌ，６２２Ｒの上端部には、互いに隣接する方向に屈曲された凸部６２２Ｌａ，６２２Ｒａが設けられている。そして、凸部６２２Ｌａ，６２２Ｒａには、スリット６２２Ｌｓ，６２２Ｒｓが形成されている。また、各第１屈曲部６２２Ｌ，６２２Ｒの下端部には、互いに隣接する方向に屈曲された凸部６２２Ｌｂ，６２２Ｒｂが設けられている。そして、凸部６２２Ｌｂ，６２２Ｒｂには、丸孔６２２Ｌｈ，６２２Ｒｈが形成されている。
【００４７】
一対の第２屈曲部６２３は、ベース部６２１からクロスダイクロイックプリズム５５側に略９０°屈曲されており、左右方向において、ベース部６２１の中央で、互いに所定の距離隔てて形成されている。
【００４８】
次に、支持部７について説明する。
支持部７は、前述したように、液晶パネル５２が保持された保持部６を支持する。支持部７は、板金からプレス加工等により形成されており、図３に示すように、平面視矩形状のベース部７１、ベース部７１から保持部６側に屈曲されたパネル支持部７２、押圧部７３を有している。
ベース部７１には、補償素子５３を透過した光が通過する矩形状の開口部７１１が形成されている。
【００４９】
パネル支持部７２は、ベース部７１の左右両側でベース部７１の四隅近傍から屈曲されており、先端部がベース部６２１の四隅に設けられた挿通孔６２１ｃに遊嵌状態で挿通されるように形成されている。
押圧部７３は、ベース部７１の左右両側に一対設けられ、それぞれがパネル支持部７２の間に設けられている。押圧部７３の先端には、Ｖ字状の切欠きが設けられている。
【００５０】
支持部７は、押圧部７３が治具等で押圧され、ベース部７１が射出側偏光板５４に接着固定される。
液晶パネル５２を保持する保持部６は、挿通孔６２１ｃにパネル支持部７２の先端部が遊嵌状態で挿通された状態で位置の調整が行われた後、挿通孔６２１ｃとパネル支持部７２との間に接着剤が充填されて支持部７に固定される（図２参照）。
【００５１】
次に、素子保持体８について説明する。
図５は、電気光学装置５０Ｇにおける固定板６２および素子保持体８をクロスダイクロイックプリズム５５側から見た斜視図である。図６は、素子保持体８および風向調整部９を模式的に示す平面図である。
素子保持体８は、図５に示すように、補償素子５３を保持し、固定板６２に回動可能に支持される。素子保持体８は、板金からプレス加工等により形成されており、図４に示すように、補償素子５３が取り付けられる取付部８１、取付部８１から突出する腕部８２，８３、および第１操作部８４を有している。
【００５２】
取付部８１は、平面サイズが補償素子５３より大きい矩形状に形成されている。補償素子５３は、取付部８１の−Ｙ側の面に接着固定される。取付部８１の中央には、補償素子５３を透過した光が通過する開口部８１１が設けられている。
また、取付部８１の下端部には、図６に示すように、左右方向において所定の距離隔てて形成された一対の軸受部８１２が設けられている。一対の軸受部８１２は、曲げ加工により、断面の内面が円形となるように形成されている。
【００５３】
腕部８２，８３は、取付部８１の対向する角部から互いに離間する方向、すなわち、矩形状の補償素子５３における対角方向に沿って延出している。具体的に、図４、図５に示すように、腕部８２は、補償素子５３の右下（＋Ｘ側および−Ｚ側）の角部近傍から延出している。腕部８３は、補償素子５３の左上（−Ｘ側および＋Ｚ側）の角部近傍から延出している。
【００５４】
腕部８２は、図４に示すように、取付部８１に倣って延出した後、＋Ｙ側（クロスダイクロイックプリズム５５側）に屈曲され、さらに取付部８１と略平行に屈曲され、断面がクランク状に形成されている。そして、取付部８１と略平行に屈曲された部位の先端部８２１は、固定板６２の丸孔６２２Ｒｈに挿入されるように形成されている（図４、図５参照）。
腕部８３は、取付部８１に倣って延出した後、＋Ｙ側（クロスダイクロイックプリズム５５側）に屈曲され、さらに取付部８１と略平行に屈曲され、断面がクランク状に形成されている。そして、取付部８１と略平行に屈曲された先端部８３１は、固定板６２のスリット６２２Ｌｓに挿入されるように形成されている（図４、図５参照）。
【００５５】
そして、素子保持体８は、図５に示すように、腕部８２，８３の先端部８２１，８３１が固定板６２に支持され、補償素子５３における対角方向に沿う対角軸７Ｊを中心とする回転方向の調整が可能に構成されている。すなわち、素子保持体８は、光軸５２Ｇｊに対する補償素子５３の傾きを調整可能に保持部６に支持されている。換言すると、素子保持体８は、光軸５２Ｇｊに対する補償素子５３の法線５３Ｖの角度θ（図４参照）を調整可能に保持部６に支持される。また、素子保持体８は、先端部８３１がスリット６２２Ｌｓ内で移動可能な範囲で回動可能となる。
【００５６】
図７は、電気光学装置５０Ｇの断面図である。
素子保持体８は、液晶パネル５２のプレチルト角（ラビング方向）に対応して、補償素子５３が光軸５２Ｇｊに対して傾斜して配置されように設定されている。そのため、素子保持体８は、調整可能な範囲の中心となる状態（中間状態）においても、補償素子５３が光軸５２Ｇｊに対して傾斜して配置される。具体的に、素子保持体８は、図５、図７に示すように、クロスダイクロイックプリズム５５側（＋Ｙ側）から見て、補償素子５３の左上側（＋Ｘ側および＋Ｚ側）が右下側（―Ｘ側および−Ｚ側）より、液晶パネル５２側に位置するように傾斜して配置される。
【００５７】
なお、Ｒ光用およびＢ光用の液晶パネル５２のプレチルト角の方向は、Ｇ光用の液晶パネル５２のプレチルト角の方向と逆方向のものが用いられている。これは、クロスダイクロイックプリズム５５を透過または反射させる際に、左右の反転を補償して視野角特性を一致させるためであり、補償素子５３の傾斜も、Ｇ光用の液晶パネル５２に対応する素子保持体８と、Ｂ光用およびＲ光用の液晶パネル５２に対応する素子保持体（図示省略）とでは左右反転させる必要がある。そのため、電気光学装置５０Ｒ，５０Ｂ用の素子保持体は、一対の腕部が素子保持体８の腕部８２，８３と左右反転した対称な形状を成している。そして、電気光学装置５０Ｒ，５０Ｂ用の素子保持体は、一対の腕部がＧ光用、Ｂ光用およびＲ光用で共通の形状を有する固定板６２の丸孔６２２Ｌｈとスリット６２２Ｒｓとに挿入されて固定板６２に支持される。
【００５８】
第１操作部８４は、補償素子５３の傾きの調整が行われる際に作業者に操作される部位であり、取付部８１から光軸５２Ｇｊに交差する方向に延出している。具体的に、第１操作部８４は、図５に示すように、取付部８１の＋Ｚ側端部から突出しており、固定板６２における一対の第２屈曲部６２３間から上側に飛び出すように延出している。また、第１操作部８４には、一対の第２屈曲部６２３それぞれの上側に位置する一対の曲げ部８４１が設けられている。
素子保持体８は、先端部８２１が丸孔６２２Ｒｈに挿入され、先端部８３１がスリット６２２Ｌｓに挿入されて固定板６２に支持されるので、補償素子５３の傾き調整の際には、第１操作部８４がＹ方向に移動される。
【００５９】
そして、電気光学装置５０Ｇは、補償素子５３の傾きが調整されると、調整された傾斜に応じて、補償素子５３と液晶パネル５２との距離、すなわち補償素子５３とベース部６２１との距離が変わる。なお、中間状態における補償素子５３とベース部６２１との距離をＬ０とする。
図８、図９は、電気光学装置５０Ｇを＋Ｚ側から見た平面図である。具体的に、図８は、中間状態より補償素子５３の傾きが大きくなるように調整された状態（第１状態）を示す図であり、図９は、中間状態より補償素子５３の傾きが小さくなるように調整された状態（第２状態）を示す図である。
【００６０】
電気光学装置５０Ｇは、中間状態から第１状態に操作されると、角度θ（図４参照）が大きくなると共に、第１操作部８４がベース部６２１に近づくように移動するので、図８に示すように、補償素子５３とベース部６２１との距離Ｌ１は、Ｌ０より小さなものとなる。一方、電気光学装置５０Ｇは、中間状態から第２状態に操作されると、角度θが小さくなると共に、第１操作部８４がベース部６２１から遠ざかる方向に移動するので、図９に示すように、補償素子５３とベース部６２１との距離Ｌ２は、Ｌ０より大きなものとなる。
そして、素子保持体８は、補償素子５３の傾きの調整後に一対の曲げ部８４１と一対の第２屈曲部６２３とに接着剤が塗布されて固定板６２に固定される。
【００６１】
次に、風向調整部９について説明する。
風向調整部９は、前述したように、素子保持体８に支持され、液晶パネル５２と補償素子５３との間に流通する空気の風量を調整する。
図６に戻って、風向調整部９は、素子保持体８の一端（取付部８１の下方側の端部）に回動可能に接続される風向変更部９１、および風向変更部９１に接続される移動部９２Ａ，９２Ｂを備える。
【００６２】
風向変更部９１は、素子保持体８（補償素子５３）に向かう空気の流れを変える。風向変更部９１は、例えば板金からプレス加工等により形成されており、図６に示すように、平面視略矩形状の本体部９１１、軸支部９１２、および突起部９１３を有している。
本体部９１１は、左右方向が上下方向より長い長尺状に形成されている。
【００６３】
軸支部９１２は、本体部９１１の上端部に設けられ、曲げ加工によって断面の内面が円形となるように形成されている。また、軸支部９１２は、左右方向において素子保持体８の一対の軸受部８１２の間に位置するように形成されている。そして、風向変更部９１は、一対の軸受部８１２および軸支部９１２に断面が円形のシャフト（図示省略）が挿通されて素子保持体８に回動可能に支持される。すなわち、風向変更部９１は、シャフトを介して一端（軸支部９１２）が素子保持体８に回動可能に支持され、蝶番のような構造で素子保持体８に連結されている。なお、本体部９１１における一端（軸支部９１２）とは反対側となる他端を端部９１１ｅとする。
突起部９１３は、腕部８２近傍の本体部９１１の下端部から補償素子５３が配置されている側とは反対側に屈曲されている。
【００６４】
移動部９２Ａは、風向変更部９１に接続されるワイヤー９２１ａ、および作業者に把持される操作部９２２ａを備える。
ワイヤー９２１ａは、一端が風向変更部９１の軸支部９１２とは離れた位置に接続されている。具体的に、ワイヤー９２１ａは、図６に示すように、風向変更部９１の左下側（−Ｘ側および−Ｚ側）の端部近傍に接続されている。そして、ワイヤー９２１ａは、補償素子５３の側方（−Ｘ側）を通り、上方に向かって延出している。すなわち、ワイヤー９２１ａは、光軸５２Ｇｊに交差する方向に延出している。
操作部９２２ａは、ワイヤー９２１ａの他端、すわなち、ワイヤー９２１ａの風向変更部９１に接続された部位とは反対側となる端部側に設けられている。
【００６５】
移動部９２Ｂは、移動部９２Ａと同様に、風向変更部９１に接続されるワイヤー９２１ｂ、および作業者に把持される操作部９２２ｂを備える。
ワイヤー９２１ｂは、ワイヤー９２１ａと同様に、一端が風向変更部９１の軸支部９１２とは離れた位置に接続されている。具体的に、ワイヤー９２１ｂは、図６に示すように、突起部９１３に接続されている。そして、ワイヤー９２１ｂは、素子保持体８の補償素子５３が配置されている側とは反対側を通り、上方に向かって延出している。すなわち、ワイヤー９２１ｂは、光軸５２Ｇｊに交差する方向に延出している。
【００６６】
操作部９２２ｂは、ワイヤー９２１ｂの他端、すわなち、ワイヤー９２１ｂの風向変更部９１に接続された部位とは反対側となる端部側に設けられている。ワイヤー９２１ａ，９２１ｂは、延出部に相当し、操作部９２２ａ，９２２ｂは、第２操作部に相当する。また、操作部９２２ａ，９２２ｂおよび第１操作部８４は、補償素子５３に対し、同じ側（上側）に配置されている。
そして、移動部９２Ａ，９２Ｂそれぞれは、上下方向、すなわち、軸支部９１２の回転中心軸に交差する方向に移動可能に構成されている。
【００６７】
風向変更部９１は、操作部９２２ａまたは操作部９２２ｂが上方に移動されることで、軸支部９１２を中心に回動する。
図１０〜図１２は、風向調整部９の動作を説明するための模式図であり、素子保持体８および風向調整部９の側面図である。具体的に、図１０は、操作部９２２ａ，９２２ｂが操作されていない状態を示す図である。図１１は、操作部９２２ｂが上方に移動された状態を示す図であり、図１２は、操作部９２２ａが上方に移動された状態を示す図である。
【００６８】
図１０に示すように、風向調整部９は、操作部９２２ａ，９２２ｂが操作されていない状態で、風向変更部９１の自重により本体部９１１が上下方向に沿った姿勢（所定の姿勢）で配置される所定の状態となる。
そして、所定の状態から操作部９２２ｂが上方に移動されると、風向変更部９１は、ワイヤー９２１ｂに牽引され、図１１に示すように、端部９１１ｅが液晶パネル５２から遠ざかる方向に回動する。すなわち、風向変更部９１は、端部９１１ｅと液晶パネル５２との離間距離が所定の状態における離間距離より大きくなるように回動する。
【００６９】
一方、所定の状態から操作部９２２ａが上方に移動されると、風向変更部９１は、図１２に示すように、ワイヤー９２１ａに牽引され、端部９１１ｅが液晶パネル５２に近づく方向に回動する。すなわち、風向変更部９１は、端部９１１ｅと液晶パネル５２との離間距離が所定の状態における離間距離より小さくなるように回動する。
【００７０】
また、移動部９２Ａ，９２Ｂは、図示しない規制部によって移動可能な範囲が設定されている。そして、風向変更部９１は、移動部９２Ａ，９２Ｂの移動可能な範囲に対応する範囲で回動可能となる。
このように、風向調整部９は、操作部９２２ａ，９２２ｂの操作に応じて風向変更部９１の回動する方向、および回動する量が調整される。これによって、液晶パネル５２と補償素子５３との間に流通する空気の風量が調整される。
【００７１】
風向調整部９を調整する作業者は、温度センサーＴＥの検出結果を確認しながら操作部９２２ａ，９２２ｂを操作する。
前述したように、第１状態においては、補償素子５３とベース部６２１との距離が小さくなるので（図８参照）、所定の状態のままでは補償素子５３と液晶パネル５２との間に流通する風量が少なくなり、液晶パネル５２は、温度が上昇する。そのため、作業者は、図１１に示すように、操作部９２２ｂを上方に移動させ、補償素子５３と液晶パネル５２との間に流れる空気の風量を増加させる。その結果、液晶パネル５２の温度上昇が抑制される。
【００７２】
一方、第２状態においては、補償素子５３とベース部６２１との距離が大きくなるので（図９参照）、所定の状態のままでは補償素子５３と液晶パネル５２との間に流通する空気の風量が多くなり、液晶パネル５２は、温度が下降する。そのため、作業者は、図１２に示すように、操作部９２２ａを上方に移動させ、補償素子５３と液晶パネル５２との間に流れる空気の風量を減少させる。その結果、液晶パネル５２の温度低下が抑制される。
なお、風向変更部９１は、調整後に操作部９２２ａ，９２２ｂが図示しない部材に接着固定されることによって、調整された姿勢が維持される。
【００７３】
このように、プロジェクター１は、風向調整部９が調整されることによって、ファンの駆動制御だけでは実現できなかった液晶パネル５２の温度範囲をより狭い温度範囲で冷却することが可能となる。具体的には、応答性が良好で、かつ、熱劣化が抑制される温度範囲（例えば、約７０°Ｃ〜約８０°Ｃの範囲）で液晶パネル５２を動作させることが可能となる。
【００７４】
以上説明したように、本実施形態によれば、以下の効果を得ることができる。
（１）プロジェクター１は、補償素子５３の傾きを調整できるので、画質を高めた画像の投写が可能となる。また、プロジェクター１は、風向調整部９を備えているので、ファンから送風された空気の流れを変え、液晶パネル５２と補償素子５３との間に流通する空気の風量を調整することができる。よって、補償素子５３の傾き調整に伴って変わる液晶パネル５２と補償素子５３との離間距離に対応して双方の部材間に空気を流通させ、液晶パネル５２および補償素子５３を適切に冷却することが可能となる。
したがって、長期に亘って高画質の画像を投写するプロジェクター１の提供が可能となる。
【００７５】
（２）風向調整部９は、風向変更部９１に接続された移動部９２Ａ，９２Ｂを備えているので、風向変更部９１を簡素な構成で回動させ、液晶パネル５２と補償素子５３との間に流通させる空気の風量を容易に調整することが可能となる。
【００７６】
（３）プロジェクター１は、第１操作部８４および操作部９２２ａ，９２２ｂ（第２操作部）が補償素子５３に対して同じ側に配置されている。これによって、作業者は、補償素子５３の傾き調整、および風向調整部９による空気の風量調整を、補償素子５３の同一側から行うことができるので、２つの調整作業を効率的に行うことが可能となる。
また、補償素子５３に対して第１操作部および操作部９２２ａ，９２２ｂ（第２操作部）が配置されていない側に部材を配置できるので、素子保持体８が回動可能に保持部６に支持される構造や、保持部６が支持部７に支持される構造等をスペース効率よく構成することが可能となる。
【００７７】
（４）風向変更部９１は、端部９１１ｅと液晶パネル５２との離間距離が所定の状態における離間距離より大きくなる回動が可能に構成されている。これによって、補償素子５３の傾き調整によって液晶パネル５２と補償素子５３との距離が小さくなる場合であっても、液晶パネル５２と補償素子５３との間に適切に空気を流通させ、液晶パネル５２と補償素子５３を効率よく冷却することが可能となる。
【００７８】
（５）風向変更部９１は、端部９１１ｅと液晶パネル５２との離間距離が所定の状態における離間距離より小さくなる回動が可能に構成されている。これによって、補償素子５３の傾き調整によって液晶パネル５２と補償素子５３との距離が大きくなる場合であっても、液晶パネル５２と補償素子５３との間に流通させる空気の風量を制限し、液晶パネル５２の過冷却を抑制することが可能となる。よって、プロジェクター１は、液晶パネル５２を良好な応答性で駆動させることができるので、高速で切り替わる画像（例えば、３Ｄ画像（立体画像））の投写においても、良好な画像として観察者に視認させることが可能となる。
【００７９】
（６）補償素子５３の傾き調整は、対角方向に延出する対角軸７Ｊを中心とする回転方向の調整により行われる。これによって、液晶パネル５２のプレチルト角（ラビング方向）に対応させて、補償素子５３の傾きを調整できるので、投写される画像のコントラスト比や視野角特性を向上させることができる。よって、長期に亘って高画質の画像を投写するプロジェクター１の提供が可能となる。
【００８０】
（７）プロジェクター１は、温度センサーＴＥを備え、風向調整部９の調整は、この温度センサーＴＥの検出結果を確認しながら行われる。これによって、液晶パネル５２を適正な温度範囲で冷却することをより確実に行うことが可能となる。
【００８１】
（変形例）
なお、前記実施形態は、以下のように変更してもよい。
前記実施形態の風向調整部９は、風向変更部９１の端部９１１ｅと液晶パネル５２との離間距離が所定の状態より大きくなる風向変更部９１の回動、および所定の状態より小さくなる風向変更部９１の回動を可能として構成されているが、この構成に限らない。風向変更部９１が所定の状態における離間距離より大きくなる回動のみが可能となるように風向調整部を構成してもよい。この構成によれば、前述した実施形態の構成より簡素に風向調整部を構成し、補償素子５３の傾き調整に伴って離間距離が小さくなる場合に液晶パネル５２と補償素子５３との間に空気を流通させ、液晶パネル５２と補償素子５３を冷却することが可能となる。
【００８２】
前記実施形態の風向調整部９は、２つの移動部９２Ａ，９２Ｂを備えているが、リンク機構等を利用して、１つの移動部で風向変更部９１を回動させる構成であってもよい。
【００８３】
前記実施形態では、温度センサーＴＥの検出結果を確認しながら風向変更部９１を調整するように構成されているが、この調整方法に限らない。例えば、第２屈曲部６２３（図８、図９参照）に目盛を施し、曲げ部８４１の位置に応じて風向変更部９１を回動させる量を設定する等の構成が可能である。この構成の場合、プロジェクター１が温度センサーＴＥを備えない構成であっても、補償素子５３の傾きに応じた風向変更部９１の調整が可能となる。
【００８４】
前記実施形態の風向調整部９は、風向変更部９１の自重で所定の状態（所定の姿勢）が設定されるように構成されているが、風向変更部が所定の位置で係止される構成とし、この係止される状態を所定の状態とする構成であってもよい。
【００８５】
前記実施形態の風向調整部９は、手動によって風向変更部９１を回動させるように構成されているが、モーター等を備えた構成とし、電動で風向変更部９１を回動させる態様であってもよい。
【００８６】
前記実施形態のプロジェクター１は、３つの電気光学装置５０Ｒ，５０Ｇ，５０Ｂそれぞれが補償素子５３を備えているが、３つのうちのいずれかが補償素子５３を備える構成であってもよい。例えば、電気光学装置５０Ｇが補償素子５３を備え、電気光学装置５０Ｒ，５０Ｂが補償素子５３を備えない構成であってもよい。この構成の場合、電気光学装置５０Ｇは、素子保持体８および風向調整部９を備え、電気光学装置５０Ｒ，５０Ｂは、素子保持体８および風向調整部９を備えない構成となる。
【００８７】
前記実施形態では、液晶パネル５２に対向し、光軸５２Ｇｊに対する傾きを調整可能な光学素子として補償素子５３が用いられているが、補償素子５３に限らず他の光学部品を光学素子として構成してもよい。
また、前記実施形態では、光学素子が液晶パネル５２の光射出側に配置されているが、液晶パネル５２の光入射側に配置されるように構成してもよい。
【００８８】
前記実施形態では、対角方向に延出する対角軸７Ｊを中心とする回動で補償素子５３の傾きが調整されるように構成されているが、Ｘ方向やＺ方向に沿う軸を中心とする回動で傾きが調整される構成であってもよい。
【００８９】
前記実施形態のプロジェクター１は、光変調装置として透過型の液晶パネル５２を用いているが、反射型の液晶パネルを利用したものであってもよい。
【００９０】
前記実施形態の光源装置３１は、放電型の光源３１１を採用しているが、その他の方式の光源や発光ダイオード、レーザー等の固体光源で構成してもよい。
【符号の説明】
【００９１】
１…プロジェクター、６…保持部、７…支持部、７Ｊ…対角軸、８…素子保持体、９…風向調整部、３１…光源装置、５２…液晶パネル（光変調装置）、５２Ｇｊ…光軸、５３…補償素子（光学素子）、８１…取付部、８４…第１操作部、９１…風向変更部、９２Ａ，９２Ｂ…移動部、３１１…光源、９１２…軸支部、９２１ａ，９２１ｂ…ワイヤー（延出部）、９２２ａ，９２２ｂ…操作部（第２操作部）。
【図１】
2017187624.tif 000003
【図２】
2017187624.tif 000004
【図３】
2017187624.tif 000005
【図４】
2017187624.tif 000006
【図５】
2017187624.tif 000007
【図６】
2017187624.tif 000008
【図７】
2017187624.tif 000009
【図８】
2017187624.tif 000010
【図９】
2017187624.tif 000011
【図１０】
2017187624.tif 000012
【図１１】
2017187624.tif 000013
【図１２】
2017187624.tif 000014